(57)【要約】  【課題】  監視カメラで撮影できない場所の映像や音声も、映像蓄積配信装置に蓄積して配信可能にする技術を提供する。  【解決手段】  撮像機能付き携帯端末と映像蓄積配信装置を、インターネット等を介して接続し、該携帯端末で撮影した映像データを蓄積配信装置に蓄積し、ブラウザＰＣや携帯端末に対し配信可能にする。携帯端末と映像蓄積配信装置の間には、プロトコルやデータの形式を変換するためのデータ変換装置を設けるとともに、特定の携帯端末との通信を許可するための認証サーバを設ける。これにより、携帯端末、撮像機能付き携帯端末及びブラウザＰＣの間で音声データの送受信も行える構成とする。【選択図】  図１
2004282730.tif 000002
【特許請求の範囲】
【請求項１】
ネットワークを介し映像データを配信する映像データ配信システムにおいて、
少なくとも撮像機能付携帯端末により映像データを生成して送信する情報端末装置と、
前記撮像機能付携帯端末を認証するための認証テーブルを有する認証サーバユニットと、
前記情報端末装置で生成した映像データを、保存可能な映像データに変換するデータ変換装置と、
前記認証テーブルで認証した撮像機能付携帯端末からの映像データを保存する映像蓄積配信装置と、
を備え、前記映像蓄積配信装置に保存された映像データを、前記情報端末装置からの配信要求に基づき該情報端末装置に配信する構成としたことを特徴とする映像データ配信システム。
【請求項２】
前記情報端末装置は、監視カメラ装置を備えた構成である請求項１に記載の映像データ配信システム。
【請求項３】
上記認証サーバユニットは、前記認証テーブルに少なくとも前記撮像機能付携帯端末のＩＤ番号を登録し、該撮像機能付携帯端末は、該ＩＤ番号に対応した映像データを前記映像蓄積配信装置に蓄積する構成である請求項２に記載の映像データ配信システム。
【請求項４】
前記映像蓄積配信装置は、その保存した映像データを前記情報端末装置に配信するとき、該情報端末装置が前記認証テーブルに登録されたものか否かを判別し、該判別結果に基づき配信する構成である請求項１に記載の映像データ配信システム。
【請求項５】
ネットワークを介して映像データを配信する映像データ配信方法であって、
撮像機能付携帯端末を備えた情報端末装置で映像データを生成し、該生成した映像データを送信するステップと、
認証テーブルを用いて前記撮像機能付携帯端末を認証するステップと、
前記撮像機能付携帯端末により生成された映像データを、保存可能な映像データに変換するステップと、
認証された撮像機能付携帯端末からの映像データを保存するステップと、
前記映像蓄積配信装置に保存された映像データを、前記情報端末装置からの配信要求に基づき該情報端末装置に配信するステップと、
により映像データを配信することを特徴とする映像データ配信方法。
【発明の詳細な説明】
【技術分野】
【０００１】
本発明は、携帯端末から送信される映像データを保存し配信する技術に関する。
【背景技術】
【０００２】
近年、監視カメラを用いて侵入者監視を行うシステムにおいて、インターネットやＬＡＮ等のネットワークを用いた映像配信の技術や、映像をハードディスクやＤＶＤなどの記憶装置にデジタルデータとして蓄積する技術や、上記映像配信技術によって配信された映像を携帯端末で閲覧する技術などが開発されている。これらの技術は、例えば、特開２００２−２４３３０号公報（特許文献１）、特開２００３−６２７７号公報（特許文献２）に記載されている。
【０００３】
【特許文献１】特開２００２−２４３３０号公報
【０００４】
【特許文献２】特開２００３−６２７７号公報
【発明の開示】
【発明が解決しようとする課題】
【０００５】
上記従来技術においては、監視カメラ１００１は設置位置が固定のカメラであるため特定の場所の映像しか撮像することができない。このため、監視カメラ１００１の死角になる場所や監視カメラ１００１が設置されていない場所については、映像を取得することが不可能であり、よって蓄積も不可能となる。このカメラは、旋回台付である場合もあるが、その場合には、障害物等による死角が問題となる。
本発明の課題点は、上記従来技術の状況に鑑み、監視カメラで撮像や収録できない場所についての映像データや音声データについても、映像蓄積配信装置に蓄積かつ配信できるようにして、携帯端末やブラウザＰＣ（Ｐｅｒｓｏｎａｌ  Ｃｏｍｐｕｔｅｒ）を用いたテレビ会議システムなどを実現可能にすることである。
本発明の目的は、かかる課題点を解決できる技術の提供にある。
【課題を解決するための手段】
【０００６】
上記課題点を解決するために、本発明では、基本的に、撮像機能付き（撮像装置付き）携帯端末を用いて、撮影した映像の映像データを映像蓄積配信装置に蓄積し配信可能にする。また、上記撮像機能付き携帯端末で生成した映像データの形式を、映像蓄積配信装置に蓄積可能な映像データの形式に変換する。さらに、上記携帯端末とブラウザＰＣとの間で音声データを取り扱えるようにする。更に、認証サーバを設けることにより、特定の端末から送信されるデータを蓄積できると共に、別の特定の端末へデータを配信することができる。
【０００７】
具体的には、
（１）ネットワークを介し映像データを配信する映像データ配信システムとして、映像データの保存と配信を行う映像蓄積配信装置と、撮像機能付き携帯端末により生成された映像データの形式を上記映像蓄積配信装置が保存可能な映像データの形式に変換するとともに、該保存された映像データを上記撮像機能付き携帯端末側で受信可能なデータにプロトコル変換するデータ変換装置と、特定の端末からのデータを許可するために送信携帯端末を認証する認証サーバとを備え、送信携帯端末である撮像機能付き携帯端末から送信された映像データを保存し、該保存した映像データを、他の携帯端末を含む端末側からの送信要求に応じ該端末側に配信可能にした構成とする。
【０００８】
（２）映像データを映像蓄積配信装置に保存して配信する映像配信システム用のデータ変換装置として、撮像機能付き携帯端末により生成された映像データの形式を、上記映像蓄積配信装置が保存可能な映像データの形式に変換するとともに、特定の端末へデータを配信するために受信携帯端末を認証し、該保存された映像データを、受信携帯端末である撮像機能付き携帯端末側で受信可能なデータにプロトコル変換する構成を備える。
【０００９】
（３）ネットワークを介して映像データを配信する映像データ配信方法として、データを送信する携帯端末を認証するステップと、ネットワークを介し携帯端末からの映像データを受信するステップと、該受信した映像データの形式を保存可能な映像データの形式に変換するステップと、該変換された映像データを保存するステップと、他の携帯端末を含む端末側からの保存データの送信要求信号を受信するステップと、データを受信する携帯端末を認証するステップと、上記保存データのうち端末側から送信要求されたものを、該端末側で受信可能な映像データに変換するステップと、該変換された映像データを、ネットワークを介して端末側に送信するステップとを経て、携帯端末から送信された映像データを保存し、該保存した映像データを、端末側からの送信要求に応じ該端末側に配信する。
【発明の効果】
【００１０】
本発明によれば、広範囲の映像データを音声データとともに蓄積し配信することが可能となる。テレビ会議システムなどを構成することも可能である。
【発明を実施するための最良の形態】
【００１１】
以下、本発明を実施するための最良の形態につき、図面を用いて説明する。
図２２は、蓄積配信装置を中心とするネットワーク監視システムの構成を示すブロック図である。１００１は監視カメラ、１００２はＬＡＮ（Ｌｏｃａｌ  Ａｒｅａ  Ｎｅｔｗｏｒｋ）の伝送路、１００３はＷｅｂエンコーダ、１００４はハブ、１００５は映像蓄積配信装置、１００６はブラウザＰＣ、１００７は映像閲覧用データ変換装置、１００８は公衆回線による伝送路、１００９はインターネットなどのＷＡＮ（Ｗｉｄｅ  Ａｒｅａ  Ｎｅｔｗｏｒｋ）、１０１０は無線による伝送路、１０１１は映像閲覧用の携帯端末（もしくは、少なくとも撮像機能付き携帯端末を含んだ情報端末装置でもよい。）である。監視カメラ１００１、Ｗｅｂエンコーダ１００３、映像蓄積配信装置１００５、ブラウザＰＣ１００６及び映像閲覧用データ変換装置１００７はハブ１００４により接続されており、上記の装置はＬＡＮの伝送路１００２で接続されている。映像閲覧用データ変換装置１００７と携帯端末１０１１は、公衆回線の伝送路１００８とＷＡＮ１００９と無線による伝送路１０１０によって接続されている。
【００１２】
図２３は、映像蓄積配信装置１００５、ブラウザＰＣ１００６、映像閲覧用データ変換装置１００７及び携帯端末１０１１のハードウェア構成の一例を概略的に示す図である。１１０１はＣＰＵ（Ｃｅｎｔｒａｌ  Ｐｒｏｃｅｓｓｉｎｇ  Ｕｎｉｔ）、１１０２はメモリ、１１０３はネットワークインターフェース、１１０４は記憶装置、１１０５はサウンド入出力インターフェース、１１０６はスピーカ、１１０７はマイク、１１０８はビデオインターフェース、１１０９はモニタ、１１１０は入力インターフェース、１１１１はキーボード等の入力機器、１１１２はマウスなどのポインティングデバイス、１１１３はバスである。１１０１〜１１０５、１１０８及び１１１０はバス１１１３を介して相互に接続されており、スピーカ１１０６とマイク１１０７はサウンドインターフェース１１０５に接続している。また、モニタ１１０９はビデオインターフェース１１０８に接続している。さらに、入力機器１１１１とポインティングデバイス１１１２とは、入力インターフェース１１１０に接続されている。また、ネットワークインターフェース１１０３は、図示していないが、ＬＡＮの伝送路１００２や公衆回線１００８、無線の伝送路１０１０と必要に応じて接続される。なお、図２３に示す構成は、システム要求に応じて、異なることもある。
【００１３】
以下、図２２に示すシステムにおいて、監視カメラ１００１で撮像された映像を蓄積配信装置１００５に蓄積する方法について説明する。監視カメラ１００１はある地点に設置された固定カメラである。このカメラで撮影した映像を表す映像信号は、Ｗｅｂエンコーダ１００３に送信される。Ｗｅｂエンコーダ１００３は上記映像信号を、ＪＰＥＧやＭＰＥＧなどの映像データ・フォーマットのデジタル映像信号に変換し、変換後の映像信号を映像蓄積配信装置１００５へ送信する。映像蓄積配信装置１００５では、ネットワークインターフェース１１０３で受信された上記映像信号がＣＰＵ１１０１に入力され、ＣＰＵ１１０１で識別番号が付与され上で、記憶装置１１０４に映像データとして適切に保存、蓄積される。
【００１４】
次に、上記映像蓄積配信装置１００５に蓄積された上記映像データをブラウザＰＣ１００６や携帯端末１０１１に配信する方法について説明する。
ブラウザＰＣ１００６や携帯端末１０１１は、映像蓄積配信装置１００５に対して映像データ取得要求信号を送信する。上記映像データ取得のための要求は、映像データ蓄積時に映像信号に付与された識別番号を指定することによって、所望の映像データを表す映像信号を取得するためである。ブラウザＰＣ１００６から送信された上記データ取得要求信号は、ＬＡＮの伝送路１００２とハブ１００４とを介して映像蓄積配信装置１００５に届く。映像蓄積配信装置１００５は上記映像取得要求により指定された識別番号に対応した映像信号をブラウザＰＣ１００６に送信する。送信された上記映像信号は、ハブ１００４とＬＡＮの伝送路１００２とを介してブラウザＰＣ１００６に届く。ブラウザＰＣ１００６は上記映像信号をアナログの映像信号に変換し、ビデオインターフェース１１０８を介してモニタ１１０９へ入力して、その映像信号に基づいた映像を表示する。
【００１５】
携帯端末１０１１から上記のものと同様の映像データ取得要求信号を映像蓄積配信装置１００５に送信した場合は、その映像データ取得要求信号は、無線の伝送路１０１０、ＷＡＮ１００９、および公衆回線１００８を介して映像閲覧用データ変換装置１００７へ送信される。映像閲覧用データ変換装置１００７は、受信した上記映像データ取得要求信号を映像蓄積配信装置１００５が受信できる形式にプロトコル変換してから、その変換された信号を送信する。映像蓄積配信装置１００５は適切な映像データを表す映像信号を記憶装置１１０４から取り出し、映像閲覧用データ変換装置１００７へ送信する。映像閲覧用データ変換装置１００７は、受信した映像信号について、その受信したときの形式の信号から、携帯端末１０１１がモニタ１１０９に表示できる形式の信号に変換する。さらに、上記映像信号を送信するためのプロトコルとして携帯端末用のプロトコルを選択し、その選択されたプロトコルの形式に変換する。すなわち、映像閲覧装置１００７は、携帯端末１０１１と蓄積配信装置１００５の間におけるプロトコル変換機能と画像形式の変換機能とを有する装置である。携帯端末１０１１は、受信した該映像信号をアナログの映像信号に変換して、その映像信号に基づいた映像をモニタ１００９に表示する。ブラウザＰＣ１００６や携帯端末１０１１では、映像蓄積配信装置１００５に蓄積された過去の映像と、蓄積された最新の映像との、２通りの映像を受信することができる。
【００１６】
図２４は、監視カメラ１００１により撮像された映像を映像蓄積配信装置１００５に蓄積する手順を示す説明図である。
図２４において、
（１）ステップＳ１９０１は、監視カメラ１００１を用いて映像を撮像し、上記映像を表す映像信号を生成するステップである。このステップの後に、上記ステップＳ１９０１において使用している機器の接続を確認するステップを追加してもよい。例えば、監視カメラ１００１を用いて撮像した場合は、ステップＳ１９０２に進み、そうでない場合は、この手順を終了する、もしくは、監視カメラが接続されるまで待つ。
（２）ステップＳ１９０２は、監視カメラ１００１が上記映像信号をＷｅｂエンコーダ１００３に送信するステップである。
（３）ステップＳ１９０３は、Ｗｅｂエンコーダ１００３が上記映像信号をデジタルの映像信号に変換するステップである。
（４）ステップＳ１９０４およびＳ１９０５は、Ｗｅｂエンコーダ１００３が、上記映像信号をハブ１００４を介して、映像蓄積配信装置１００５に上記映像信号を送信するステップである。
（５）ステップＳ１９０６は映像蓄積配信装置１００５が上記映像信号を映像蓄積配信装置１００５内の記憶装置１１０４に保存するステップである。
以上、説明した処理により、監視カメラ１００１で撮影した映像の映像信号を映像データとして映像蓄積配信装置１００５に蓄積する。
【００１７】
図２５は、映像蓄積配信装置１００５に蓄積された映像データをブラウザＰＣ１００６または携帯端末１０１１によって閲覧する手順を示す図である。
図２５に示すフローチャートを以下に説明する。
（１）ステップＳ２００１は、ブラウザＰＣ１００６を用いて映像データ取得要求信号を蓄積配信装置１００５に対して送信するステップである。
（２）ステップＳ２００２およびＳ２００３は、ブラウザＰＣ１００６が上記映像データ取得要求信号をハブ１００４を介して、映像蓄積配信装置１００５に送信するステップである。
（３）ステップＳ２００４は、映像蓄積配信装置１００５が、上記映像データ取得要求信号に従って、記憶装置１１０４から映像データとして映像信号を取り出すステップである。
（４）ステップＳ２００５およびＳ２００６は、映像蓄積配信装置１００５が上記映像信号を、ハブ１００４を介してブラウザＰＣ１００６に送信するステップである。
（５）ステップＳ２００７は、ブラウザＰＣ１００６が上記映像信号に基づいた映像をモニタ１１０９に表示するステップである。
【００１８】
図２６は、映像蓄積配信装置１００５に蓄積された映像データを携帯端末１０１１によって閲覧する手順を示す図である。
図２６に示すフローチャートを以下に説明する。
（１）ステップステップＳ２１０１は、携帯端末１０１１を用いて映像データ取得要求信号を蓄積配信装置１００５に対して送信するステップである。
（２）ステップＳ２１０２は、携帯端末１０１１が上記映像データ取得要求信号を映像閲覧用データ変換装置１００７に送信するステップである。
（３）ステップ２１０３は、映像閲覧用データ変換装置１００７が、上記映像データ取得要求信号のプロトコルを映像蓄積配信装置１００５が解釈できるプロトコルに変換するステップである。
（４）ステップＳ２１０４およびＳ２１０５は、映像閲覧用データ変換装置１００７が上記映像データ取得要求信号をハブ１００４を介して、映像蓄積配信装置１００５に送信するステップである。
（５）ステップＳ２１０６は、映像蓄積配信装置１００５が、上記映像データ取得要求信号に従って、記憶装置１１０４から映像データとして映像信号を取り出すステップである。
（６）ステップＳ２１０７およびＳ２１０８は、映像蓄積配信装置１００５が上記映像信号をハブ１００４を介して、映像閲覧用データ変換装置１００７に送信するステップである。
（７）ステップＳ２１０９は、映像閲覧用データ変換装置１００７が、上記映像信号の形式を携帯端末１０１１がモニタ１１０９に表示できる形式に変換するステップである。
（８）ステップＳ２１１０は、映像閲覧用データ変換装置１００７が、上記映像信号を携帯端末１０１１に送信するステップである。
（９）ステップＳ２１１１は、携帯端末１０１１が上記映像信号を受信し、その信号に基づく映像をモニタ１１０９に表示するステップである。
以上、説明した方法により、ブラウザＰＣ１００６または携帯端末１０１１によって蓄積配信装置１００５に蓄積された映像データを閲覧できるようにする。また、映像閲覧用データ変換装置１００７は、音声信号の送受信も可能であり、ブラウザＰＣ１００６、携帯端末１０１１との間で音声信号の送受信が可能となる。
【００１９】
図１〜図１０は、本発明の第1の実施例の説明図である。
本実施例では、撮像機能付き携帯端末で撮影した映像を蓄積配信装置に蓄積し、ブラウザＰＣや他の携帯端末に対して配信する方法につき述べる。
図１は、本発明における装置のネットワーク構成の一例を示す図である。上記図２２の構成と比較して、撮像機能付き携帯端末１０１、映像蓄積用データ変換装置１０２、認証サーバ１０２０が追加されている。上記携帯端末１０１と上記映像蓄積用データ変換装置１０２とは、無線による伝送路１０１０、ＷＡＮ１００９、公衆回線１００８によって接続されている。撮像機能付き携帯端末１０１と映像蓄積用データ変換装置１０２は、図１２に示したハードウェア構成を有するコンピュータである。
【００２０】
図２は、上記図１の撮像機能付き携帯端末１０１を用いて撮像した映像を表す映像信号を、映像蓄積用データ変換装置１０２を介して映像蓄積配信装置１００５に蓄積する方法における手順例を示す図である。
図２において、
（１）ステップＳ２０１では、上記撮像機能付き携帯端末１０１の撮像機能を実現するためのカメラを用いて映像を撮像し映像データとしての映像信号を生成する。
（２）ステップＳ２０２では、上記撮像機能付き携帯端末１０１と映像蓄積配信装置１００５との通信を確立する。この時、認証サーバ１０２０によって、映像蓄積配信装置１００５との通信ができる撮像機能付き携帯端末１０１に対する認証作業も行われる。
（３）ステップＳ２０３では、上記携帯端末１０１から映像蓄積配信装置１００５に上記映像データとしての映像信号を送信する。
（４）ステップＳ２０４では、上記撮像機能付き携帯端末１０１と映像蓄積配信装置１００５との接続を切断する。このとき、上記ステップＳ２０１により映像データを生成する前に、ステップＳ２０２により撮像機能付き携帯端末１０１と映像蓄積配信装置１００５との接続を確立してもよい。すなわち、上記ステップＳ２０１と上記ステップＳ２０２の順序はどちらが先行してもよい。
【００２１】
ここで、携帯端末１０１（ＰＤＡ、携帯電話等）に付属している携帯端末カメラの映像を映像蓄積配信装置１００５に送信する方式について、以下に説明する（図３参照）。
（１）撮影された映像もしくは静止画のデータは、携帯端末１０１内の記憶領域(メモリ等)にファイルとして保存される（ステップ２５１）。
（２）保存されたファイルは、携帯端末実装の電子メール機能を使い、電子メールの添付ファイルとして、電子メールサーバ機能を有する映像蓄積用データ変換装置１０２に向けて電子メールの通信プロトコルにて送られる（ステップ２５２）。
（３）送られた電子メールは、電子メールサーバ機能（例えば、ＰＯＰサーバ）により映像蓄積用データ変換装置１０２で受信される（ステップ２５３）。
（４） 電子メールの添付ファイルは、映像蓄積用データ変換装置１０２の磁気記録装置に格納されたプログラムにより、電子メールの中から取り出される（ステップ２５４）。
（５）取り出された添付ファイルは、さらにファイル内のデータを読出され、必要に応じてコーデック変換やフォーマット変換を施され、映像蓄積用データ変換装置１０２内の記憶領域に書き込まれる。この際、コーデック変換・フォーマット変換は、監視カメラが映像蓄積配信装置に対して映像を提供する場合と同じコーデックやフォーマットになるように施される（ステップ２５５）。
（６）映像蓄積用データ変換装置１０２内の記憶領域に書き込まれたデータは、監視カメラ１００１が映像蓄積配信装置１００５に映像を配信する場合と同じ通信プロトコル、例えばHTTPにて、映像蓄積配信装置１００５に配信される（ステップ２５６）。
（７）配信されたデータは、映像蓄積配信装置１００５にて受信され、記録される。コーデックは、ＪＰＥＧやＭＰＥＧ１，２，４、Ｈ．２６１、Ｈ．３２３等である。フォーマットの基本構成は、コーデック＋ヘッダ情報である。
【００２２】
図４は上記ステップＳ２０２の内容の説明図であって、映像蓄積用データ変換装置１０２を介し、上記撮像機能付き携帯端末１０１と映像蓄積配信装置１００５との接続を確立する方法における手順例を示す図である。
図４において、
（１）予めブラウザＰＣからユーザ認証サーバにアクセスし、ユーザ認証サーバの記憶装置に格納されたユーザ情報として図２７のようなテーブルにユーザ名とパスワードを入力しておく。
（２）ステップＳ３０１では、撮像機能付き携帯端末１０１と映像蓄積配信装置１００５とを接続する処理を開始する。
（３）ステップＳ３０２では、撮像機能付き携帯端末１０１から映像蓄積用データ変換装置１０２に対して接続要求信号を送信する。上記接続要求信号には、携帯端末１０１の使用者のユーザ名と、パスワードとを付加する。上記撮像機能付き携帯端末１０１の使用者は、上記ユーザ名と上記パスワードとを、予め映像蓄積用データ変換装置１０２に登録しておく。
（４）ステップＳ３０３では、映像蓄積用データ変換装置１０２が上記接続要求信号を受信する。
（５）ステップＳ３０４では、映像蓄積用映像データ変換装置１０３がユーザ情報Ｓ３０５からユーザ名とパスワードとを取得する。該ユーザ情報３０５は、予め携帯端末１０１の使用者が映像蓄積用データ変換装置に登録したユーザ名とパスワードを保存しておくためのファイルである。このファイルは、映像蓄積用データ変換装置１０２の記憶装置１１０４に保存されている。
（６）ステップＳ３０６では、上記ステップＳ３０３で受信された接続要求信号に含まれるユーザ名と、上記ステップＳ３０４でユーザ情報３０５から取得されたユーザ名とを比較する。ここで、上記両ユーザ名どうしが一致しなければ、上記接続要求信号を出した使用者が不正な者であると判断し、ステップＳ３１３に進む。上記両ユーザ名どうしが一致した場合には、ステップＳ３０７に進む。
（７）ステップＳ３０７では、上記ステップＳ３０３で受信した接続要求信号に含まれるパスワードと、上記ステップＳ３０４でユーザ情報３０５から取得したパスワードとを比較する。ここで、上記の両パスワードどうしが一致しなければ、上記接続要求信号を出した使用者は不正な使用者であると判断し、ステップＳ３１３に進む。上記の両パスワードどうしが一致した場合には、ステップＳ３０８に進む。
（８）ステップＳ３０８では映像蓄積用データ変換装置１０２が映像蓄積配信装置１００５に対して接続要求信号を送信する。
（９）ステップＳ３０９では、映像蓄積配信装置１００５が映像蓄積用データ変換装置１０２からの接続要求信号を受信する。
（１０）ステップＳ３１０では、蓄積配信装置１００５が、接続要求信号に対し接続が成功したか失敗したかを示す結果を、映像蓄積用データ変換装置１０２に対して接続結果応答信号として送信する。
【００２３】
（１１）ステップＳ３１１では、上記ステップＳ３１０の上記接続結果応答信号を、映像蓄積用データ変換装置１０２が受信する。
（１２）ステップＳ３１２では、映像蓄積用データ変換装置１０２が、上記ステップＳ３１１で受信した上記接続結果応答信号を、上記撮像機能付き携帯端末１０１が解釈できる形式にプロトコル変換をして送信する。
（１３）ステップＳ３１３では、上記撮像機能付き携帯端末１０１が、上記ステップＳ３１２によって映像蓄積用データ変換装置１０２から送信された上記接続結果応答信号を受信する。
（１４）ステップＳ３１４では、撮像機能付き携帯端末１０１が上記結果応答信号を解釈し、接続結果を判断する。正常に接続されたと判断された場合にはステップＳ３１５に進む。接続に失敗したと判断された場合にはステップＳ３１６に進む。
（１５）ステップＳ３１５では、撮像機能付き携帯端末１０１と映像蓄積配信装置１００５との接続が正常終了したとして、接続処理を終了する。
（１６）ステップＳ３１６では、撮像機能付き携帯端末１０１と映像蓄積配信装置１００５との接続が失敗したとして、接続を失敗した旨を撮像機能付き携帯端末１０１のモニタに表示し、それにより使用者に通知する。
なお、３１７は、撮像機能付き携帯端末１０１、映像蓄積用データ変換装置１０３及び映像蓄積配信装置１００５の装置の境界を明示するための境界線表示である。
【００２４】
その他、例えば、ＰＫＩ（Ｐｕｂｌｉｃ  Ｋｅｙ  Ｉｎｆｒａｓｔｒｕｃｔｕｒｅ）方式を使ったドコモ社がＦＯＭＡ対応に提供する電子認証サービス「Ｆｉｒｓｔ  Ｐａｓｓ」（http://www.nttdocomo.co.jp/p_s/firstpass/）と連携させる方法もある。この場合、ＩＤやパスワード忘れも多くあるため、「Ｆｉｒｓｔ  Ｐａｓｓ」ではたったひとつのコード（ＰＩＮ２）入力でログイン可能となる。ユーザ認証用サーバは、ユーザ証明書を発行するドコモ社またはドコモグループのいずれかであることの検証を行い、ドコモまたはドコモグループが利用者に対してＦＯＭＡサービス契約毎に割り当てる電話番号とは異なる識別番号を確認する機能を有する。
【００２５】
図５は、上記ステップＳ２０３の内容説明図であって、映像蓄積用データ変換装置１０２を介し、上記撮像機能付き携帯端末１０１で生成した映像データとしての映像信号を映像蓄積配信装置１００５に送信して蓄積する処理の手順例を示すフローチャートである。
図５において、
（１）ステップＳ４０１では、映像蓄積処理を開始する。
（２）ステップＳ４０２では、撮像機能付き携帯端末１０１が映像蓄積要求信号を映像蓄積用データ変換装置１０２に対して送信する。ここで、上記映像蓄積要求信号には、上記ステップＳ２０１で生成した映像データを含む。
（３）ステップＳ４０３では、映像蓄積用データ変換装置１０２が上記ステップＳ４０２で送信された上記映像蓄積要求信号を受信する。
（４）ステップＳ４０４では、映像蓄積用データ変換装置１０２が上記映像蓄積要求信号に含まれる映像データを取り出し、その取り出されたデータの形式を映像蓄積配信装置１００５が保存できる形式にコーデック変換する。
（５）ステップＳ４０５では、映像蓄積配信装置１００５に対して、映像蓄積配信装置１００５が解釈できるプロトコルを用いて、上記映像蓄積要求信号を送信するステップである。この時、上記ステップＳ４０４で変換された上記映像データを上記映像蓄積要求信号に付加する。
（６）ステップＳ４０６では、映像蓄積配信装置１００５が上記ステップＳ４０５で送信された上記映像蓄積要求信号を受信する。
（７）ステップＳ４０７では、映像蓄積配信装置１００５が上記映像蓄積要求信号から上記映像データを取り出し、その取り出されたデータを記憶装置１１０４に保存・蓄積する。
（８）ステップＳ４０８では、映像蓄積配信装置１００５による映像の蓄積処理が正常終了したか否かを映像蓄積結果応答信号として映像蓄積用データ変換装置１０２に送信する。
（９）ステップＳ４０９では、映像蓄積用データ変換装置１０２が、上記ステップＳ４０８で送信された上記映像蓄積結果応答信号を受信する。
（１０）ステップＳ４１０では、映像蓄積用データ変換装置１０２が、上記ステップＳ４０９で送信された上記映像蓄積結果応答信号を、上記撮像機能付き携帯端末１０１が解釈できる形式にプロトコル変換し、該変換した信号を送信する。
【００２６】
（１１）ステップＳ４１１では、上記撮像機能付き携帯端末１０１が、上記ステップＳ４１０で送信された上記映像蓄積結果応答信号を受信する。
（１２）ステップＳ４１２では、上記ステップＳ４１１で受信された上記映像蓄積結果応答信号により、映像蓄積が成功したか否かを判断（判別）する。成功していると判断（判別）されれば、ステップＳ４１４に進む。失敗していると判断（判別）されれば、ステップＳ４１３に進む。
（１３）ステップＳ４１３では、映像の蓄積に失敗した旨を上記撮像機能付き携帯端末１０１のモニタに表示する。これにより、上記撮像機能付き携帯端末１０１の使用者に失敗を明示する。
（１４）ステップＳ４１４では、映像の蓄積処理を終了する。
なお、図５中の４１５は、携帯端末１０１、映像蓄積用データ変換装置１０３及び映像蓄積配信装置１００５の装置の境界を明示する境界線表示である。
【００２７】
図６は、上記ステップＳ２０４の内容説明図であって、映像蓄積用データ変換装置１０２を介して、上記撮像機能付き携帯端末１０１と映像蓄積配信装置１００５との接続を切断する処理の手順例を示す。
図６において、
（１）ステップＳ５０１では、撮像機能付き携帯端末１０１と映像蓄積配信装置１００５との切断処理を開始する。
（２）ステップＳ５０２では、撮像機能付き携帯端末１０１が映像蓄積用データ変換装置１０２に対して、切断要求信号を送信する。
（３）ステップＳ５０３では、映像蓄積用データ変換装置１０２が上記ステップＳ５０２によって送信された上記切断要求信号を受信する。
（４）ステップＳ５０４では、映像蓄積用データ変換装置１０２が、上記切断要求信号を蓄積配信装置１００５が解釈できる形式にプロトコル変換し、該変換した信号を送信する。
（５）ステップＳ５０５では、映像蓄積配信装置１００５が上記切断要求信号を受信する。
（６）ステップＳ５０６では、映像蓄積配信装置１００５が切断要求信号に対する処理結果を示す切断結果信号を映像蓄積用データ変換装置１０２に送信し、映像蓄積用データ変換装置１０２との接続を切断する。
（７）ステップＳ５０７では、映像蓄積用データ変換装置１０２が上記切断結果信号を受信する。
（８）ステップＳ５０８では、映像蓄積用データ変換装置１０２が、上記切断結果信号の形式を、撮像機能付き携帯端末１０１が解釈できる形式にプロトコル変換し、該変換した信号を送信する。
（９）ステップＳ５０９では、撮像機能付き携帯端末１０１が上記ステップＳ５０８により送信された切断要求信号を受信する。
（１０）ステップＳ５１０では、上記切断結果信号により切断に成功した否かを判断（判別）する。切断に成功したと判断（判別）した場合はステップＳ５１２に進み、失敗したと判断（判別）した場合はステップＳ５１１に進む。
【００２８】
（１１）ステップＳ５１１では、切断処理に失敗した旨を撮像機能付き携帯端末１０１のモニタ１１０９に表示し、使用者に明示する。
（１２）ステップＳ５１２では、切断処理を終了する。
なお、図６において、５１３は、携帯端末１０１、映像蓄積用データ変換装置１０３及び映像蓄積配信装置１００５の装置の境界を明示するための境界線表示である。
上記方法により、撮像機能付き携帯端末１０１で撮像された映像の映像データを、映像蓄積配信装置１００５に蓄積し配信することができる。映像蓄積配信装置１００５に蓄積された映像データはブラウザＰＣ１００６や携帯端末１０１１に配信される。
ブラウザＰＣ１００６や携帯端末１０１１でライブ映像を閲覧している場合には、撮像機能付き携帯端末１０１の使用者に対して撮像する場所の指示を出したいという要求が発生する。上記要求に応えるため、ブラウザＰＣ１００６、映像閲覧用データ変換装置１００７、携帯端末１０１１、映像蓄積用データ変換装置１０２及び撮像機能付き携帯端末１０１で送受信するデータとしては、映像データだけでなく、音声データも扱えるようにする必要がある。
【００２９】
図７は、音声データの送受信を行えるようにした場合のネットワーク構成とデータの流れの一例を示す図である。図７は、図１に対し、さらに、各伝送路を流れるデータの種類を加えて記載してある。
図７において、音声データは、ブラウザＰＣ１００６、携帯端末１０１１及び映像撮影機能付き携帯端末１０１において入出力が可能であり、該音声データは、ハブ１００４を介して各装置に分配される。また、映像閲覧用データ変換装置１００７及び映像蓄積用データ変換装置１０２は、ブラウザＰＣ１００６と、携帯端末１０１１または撮像機能付き携帯端末１０１との間で音声データのコーデック形式の変換処理とプロトコルの変換処理とを行う機能を有する。
【００３０】
図８は、ブラウザＰＣ１００６から入力された音声データを撮像機能付き携帯端末１０１に送信する場合の説明図である。
図８において、
（１）ステップＳ７０１では、ブラウザＰＣ１００６のマイク１１０７により音声が音声信号に変えられて、その音声信号がマイク１１０７から出力される。
（２）ステップＳ７０２では、ブラウザＰＣ１００６が上記音声信号を受信し、そこでその音声信号に対してＰＣＭ等のＡ／Ｄ変換が行われることによって、デジタルの音声信号が生成される。
（３）ステップＳ７０３では、ブラウザＰＣ１００６に、ＬＡＮの伝送路１００２およびハブ１００４を介して、に上記音声信号が送信される。
（４）ステップＳ７０４では、映像蓄積配信装置１００５で受信された上記音声信号が、映像蓄積用データ変換装置１０２に、ＬＡＮの伝送路１００２を介して送信される。また、該音声信号を送信したブラウザＰＣ１００６以外のブラウザＰＣ１００６に対しても、その音声データが分配される。この時、上記コーデック変換やプロトコルの変換を再度行うことは不要であり、受信した該音声信号をそのまま、該音声信号を送信したブラウザＰＣ１００６以外の、ブラウザＰＣ１００６に分配されればよい。
（５）ステップＳ７０５では、映像蓄積用データ変換装置１０２が受信した上記音声信号を、撮像機能付き携帯端末１０１が受信して、その信号の形式を再生可能な形式にコーデック変換するとともに、該音声信号を撮像機能付き携帯端末１０１が解釈可能なプロトコルに変換し、その変換された信号を送信する。音声信号を受信すべき撮像機能付き携帯端末１０１が複数台ある場合には、それぞれに対して該音声信号を送信する。
（６）ステップＳ７０６では、上記撮像機能付き携帯端末１０１が上記音声データを受信する。
（７）ステップＳ７０７では、撮像機能付き携帯端末１０１が受信した上記音声信号がＤ／Ａ変換されることによって、アナログ音声信号に変わる。
（８）ステップＳ７０８では、撮像機能付き携帯端末１０１において、スピーカ１１０６から上記アナログ音声信号が音声となって出力される。
【００３１】
図９は、撮像機能付き携帯端末１０１からブラウザＰＣ１００６に対して音声信号を送信する場合のフローチャートである。
図９において、
（１）ステップＳ８０１では、撮像機能付き携帯端末１０１のマイク１１０７により音声が音声信号に変えられて、その音声信号がマイク１１０７から出力される。
（２）ステップＳ８０２では、上記撮像機能付き携帯端末１０１が上記音声信号をアナログ信号からデジタルの音声信号に変換する。
（３）ステップＳ８０３では、上記撮像機能付き携帯端末１０１が映像蓄積用データ変換装置１０２に対して上記音声信号を送信する。
（４）ステップＳ８０４では、映像蓄積用データ変換装置１０２で、上記送信された音声信号が受信される。その受信された音声信号は、ブラウザＰＣ１００６が受信し解釈できる形式に変換される。さらに、ブラウザＰＣ１００６が解釈できるプロトコルの形式に変換され、それら変換を施された音声信号はハブ１００４を介して、ブラウザＰＣ１００６に送信される。
（５）ステップＳ８０５では、ハブ１００４を介して、受信された上記音声信号がブラウザＰＣ１００６に送信される。上記音声信号を受信するブラウザＰＣ１００６が複数台存在する場合には、それぞれに対して音声信号が送信される。
（６）ステップＳ８０６では、ブラウザＰＣ１００６が上記音声信号を受信する。
（７）ステップＳ８０７では、ブラウザＰＣ１００６が上記音声信号をアナログの音声信号にＤ／Ａ変換する。
（８）ステップＳ８０８では、ブラウザＰＣ１００６においてスピーカ１００６から上記音声信号が音声となって再生される。
【００３２】
上記図８及び上記図９では、ブラウザＰＣ１００６から撮像機能付き携帯端末１０１に対して音声信号を送信する場合、及び、撮像機能付き携帯端末１０１からブラウザＰＣ１００６に音声信号を送信する場合につき述べたが、図８の処理及び図９の処理では、携帯端末１０１１で音声信号が送受信される場合にも適用可能である。その場合は、図８におけるステップＳ７０４では、ハブ１００４は映像閲覧用データ変換装置１００７との間で音声信号を送受信するとし、ステップＳ７０５では、映像蓄積用データ変換装置１０２の処理を、映像閲覧用データ変換装置１００７が行うとしてもよい。同様に、図９におけるステップＳ８０３では、携帯端末１０１が映像閲覧用データ変換装置１００７に音声信号を送信するとし、ステップＳ８０４で映像蓄積用データ変換装置１０２の処理を映像閲覧用データ変換装置１００７が行ってもよい。
【００３３】
図１０は、上記映像蓄積技術と上記音声送受信技術とを用いた救急システムの構成例図である。
図１０において、９０１は通報者、９０２は消防署、９０３は病院、９０４は救急車である。通報者９０１は撮像機能付き携帯端末１０１を有し、消防署９０２は、映像蓄積配信装置１００５、映像閲覧用データ変換装置１００７、映像蓄積用データ変換装置１０２、ブラウザＰＣ１００６、認証サーバ１０２０を有する。病院９０３はブラウザＰＣ１００６を有する。救急車９０４は、携帯端末１０１１と撮像機能付き携帯端末１０１を有している。消防署９０２の映像蓄積配信装置１００５は、構内ＬＡＮによって映像蓄積用データ変換装置１０２及び映像閲覧用データ変換装置１００７に接続され、さらに、ＬＡＮあるいは公衆回線によって病院９０３のブラウザＰＣ１００６に接続されている。
【００３４】
かかる構成において、通報者９０１の下で救急患者が発生し、救急車９０４によって病院９０３に搬送されるまでの動作を説明する。先ず、通報者９０１が消防署９０２に救急車の出動を要請する。このとき、通報者９０１は撮像機能付き携帯端末１０１を使って消防署９０２に通報する。そして、該撮像機能付き携帯端末１０１により、患者の様子を撮像し、それにより得られた映像信号が消防署９０２に送信される。該送信された映像信号は、消防署９０２内の映像蓄積用データ変換装置１０２と映像蓄積配信装置１００５とを介して、消防署９０２内のブラウザＰＣ１００６や、病院９０３内のブラウザＰＣ１００６で閲覧可能となる。病院９０３では、医師が、上記映像信号による映像を見ながら患者への措置など対応方法を考える。また、上記医師がブラウザＰＣ１００６のマイク１１０７から音声が収録されると、その音声に応じた音声信号が、上記図７で述べた処理により、撮像機能付き携帯端末１０１すなわち通報者９０１に届けられる。該通報者９０１に対して音声でもって、撮像機能付き携帯端末１０１のカメラの向きや、応急措置方法等の指示を出すことができる。さらに、現場に向かう救急車９０４内の携帯端末１０１１でも上記映像を閲覧することができ、必要な措置を考えておくことができる。
【００３５】
そして、通報者９０１のもとに救急車９０４が到着すると、救急車９０４内の撮像機能付き携帯端末１０１、あるいは、通報者９０１の撮像機能付き携帯端末１０１によって引き続き、消防署９０２を介して病院９０３のブラウザＰＣ１００６に、患者の様子等を撮像して得られた映像信号を送信する。これにより、救急車９０４内での患者の様子を病院９０３の医師が、その映像でもって確認できるとともに、救急車９０４の救急隊員に対して音声による指示を出すことができる。病院９０３に患者が搬送されたときには既に、必要な措置や道具の準備が整っていることで、迅速な対応が可能となる。さらに、上記患者の搬送途中の映像データが映像蓄積配信装置１００５に蓄えられることで、そこからいつでも再生可能であるため、必要に応じて過去の映像を参照して患者の様子を確認することもできる。これにより、従来は音声でしか得られなかった情報に、映像情報が得られることにより、従来よりも迅速で的確な対応が可能となる。
【００３６】
上記応用例は消防署、救急車、病院及び通報者を結んだシステムとして説明したが、警察署や消防署、地方自治体などの官公庁や、テレビ局や新聞社などのマスコミ機関などでも同様のシステム適用が可能である。例えば、地方自治体では、ダムや発電所などの異常の監視や通報用として上記システムを適用することができるし、マスコミ機関では、一般の人々が携帯端末を用いて撮像した映像の第一報を受け取ったりする場合に上記システムを適用できる。また、警察署に適用すれば、市民からの映像による通報を証拠として、事件の早期解決に役立てることも可能となる。さらに、上記システムによれば、映像データと音声データとを、遠隔地から複数台の機器に対し配信することができるため、撮像機能付き携帯端末からの映像や音声に基づき、離れた場所の人どうしを結んだテレビ会議システムなどを実現することも可能である。また、撮像機能付き携帯端末１０１からの映像データは、映像蓄積配信装置１００５に蓄えられるため、映像伝言板や映像ライブラリとして蓄積し表示する用途も考えられる。これらを例えば、公民館等に設置し、地元住民の情報交換用などとして用いることも可能となる。
【００３７】
上記第１の実施例によれば、死角を有する監視カメラについての死角になる場所の映像データや、監視カメラがない場所の映像データなどをも容易に撮像することができ、音声データとともに蓄積・配信することが可能となる。
【００３８】
図１１〜図２１は、本発明の第２の実施例の説明図である。
図１１は、ネットワーク構成例を示す図である。図１１の構成は、図１に示す構成に対し、携帯型監視カメラ１０１３、無線による伝送路１０２、無線ハブ１０３を新たに加えたものである。
図１１において、携帯型監視カメラ１０１３と、無線ハブ１０３とは、無線による伝送路１０１０を介して接続される。また、無線ハブ１０３は、ＬＡＮの伝送路１００２によってネットワーク型監視システムのハブ１００４と接続される。なお、携帯型監視カメラ１０１３はＷｅｂエンコーダが内蔵されている。
【００３９】
図１に示す実施例では、認証サーバが携帯端末との認証作業を行ってから、携帯端末と各種サーバとの間でデータの送受信を行っていた。認証された特定の端末とデータの送受信をおこなうためである。一方、図１１に示す実施例において、携帯型監視カメラと各種サーバとの間でデータの送受信をおこなう場合は、認証サーバによる認証作業を省略してもよい。携帯型監視カメラは各種サーバと同じＬＡＮ内にあるので、認証サーバを使用しなくても、携帯型監視カメラに対する通信管理は、携帯端末に対する通信管理よりも比較的容易に実現できるからである。
【００４０】
図１２は、携帯型監視カメラ１０１３内部のハードウェア構成例を示す図である。
図１２において、３００１はカメラ部、３００２はＷｅｂエンコーダ部、３００３はマイク、３００４はＡ／Ｄ変換部、３００５は音声用エンコーダ部、３００６はスピーカ、３００７はＤ／Ａ変換部、３００８は音声用デコーダ部、３００９は無線部、３０１０はバスである。３００１〜３００９はバス３０１０を介して相互に接続されており、無線部３００９は、無線による伝送路１０１０を介して無線ハブ１０３との間でデータの送受信を行えるようになっている。カメラ部３００１は、従来の監視カメラ１００１と同等の機能を備え、映像を撮像し、映像信号を出力する。Ｗｅｂエンコーダ部３００２は、従来のＷｅｂエンコーダ１００３と同等の機能を備え、上記映像信号をデジタルの映像信号に変換する。マイク３００３は音声を収録して音声信号に変換する。Ａ／Ｄ変換部３００４は、上記変換された音声信号（アナログ音声信号）をデジタル音声信号に変換する。音声用エンコーダ部３００５は、上記デジタル音声信号をブラウザＰＣ１００６、映像閲覧用データ変換装置１００７、及び映像蓄積用データ変換装置１０１２の間で送受信可能な形式の音声信号に変換する。スピーカ３００６は、入力された音声信号に応じた音声を再生する。Ｄ／Ａ変換部３００７は、デジタル音声信号をアナログ音声信号に変換する。音声用デコーダ部３００８は、ブラウザＰＣ１００６、映像閲覧用データ変換装置１００７及び映像蓄積用データ変換装置１０１２の間で送受信可能な形式の音声信号を、Ｄ／Ａ変換部３００７が変換可能な音声信号に変換する。無線部３００９は、無線による伝送路１０１０を介し、映像信号や音声信号を無線ハブ１０３との間で送受信する。
【００４１】
図１３は、映像データを蓄積配信装置１００５内に蓄積する方法の説明図である。
図１３において、
（１）ステップＳ４００１では、携帯型監視カメラ１０１３のカメラ部３００１が映像を撮像して、映像信号を生成し、その映像信号をＷｅｂエンコーダ部３００２に送信する。
（２）ステップＳ４００２では、Ｗｅｂエンコーダ部３００２が上記映像信号をデジタル映像信号に変換し、その変換された信号が無線部３００９に送信される。
（３）ステップＳ４００３では、上記映像信号を受信した無線部３００９が、無線ハブ１０３に上記受信された映像信号を送信する。
（４）ステップＳ４００４では、上記映像信号を受信した無線ハブ１０３が、ハブ１００４に上記受信された映像信号を送信する。
（５）ステップＳ４００５では、上記映像信号を受信したハブ１００４が、映像蓄積配信装置１００５に上記受信された映像信号を送信する。
（６）ステップＳ４００６では、上記映像信号を受信した映像蓄積配信装置１００５が、前記受信された映像信号を記憶装置１１０４に保存する。
上記処理により、携帯型監視カメラ１０１３で撮像された映像の映像データを映像蓄積配信装置１００５に蓄積することが可能となる。
【００４２】
図１４は、携帯型監視カメラ１０１３で収録された音声の音声データを、ブラウザＰＣ１００６に配信する方法の説明図である。
（１）ステップＳ５００１では、携帯型監視カメラ１０１３のマイク３００３で音声を収録し、その収録により得られた音声信号がマイク３００３からＡ／Ｄ変換部３００４に送信される。
（２）ステップＳ５００２では、上記音声信号を受信したＡ／Ｄ変換部３００４が、上記音声信号（アナログ音声信号）をデジタル音声信号に変換し、その変換された音声信号が音声用エンコーダ３００５に送信される。
（３）ステップＳ５００３では、上記音声信号を受信した音声用エンコーダ３００５が、上記音声信号の形式を、ブラウザＰＣ１００６、映像閲覧用データ変換装置１００７及び映像蓄積用データ変換装置１０１２で受信できる形式、すなわち、ネットワーク型監視システムが取り扱う形式に変換し、その変換された音声信号が無線部３００９に送信される。
（４）ステップＳ５００４では、上記音声信号を受信した無線部３００９が上記受信された音声信号を無線ハブ１０３に送信する。
（５）ステップＳ５００５では、上記音声信号を受信した無線ハブ１０３が上記受信された音声信号をハブ１００４に送信する。
（６）ステップＳ５００６Ａでは、上記音声信号を受信したハブ１００４が、ブラウザＰＣ１００６に上記受信された音声信号を送信する。
（７）ステップＳ５００７Ａでは、ブラウザＰＣ１００６がネットワークインターフェース１１０３を介して上記音声信号を受信する。
（８）ステップＳ５００８Ａでは、ブラウザＰＣ１００６において、上記受信された音声信号の形式がサウンドインターフェース１１０５により、スピーカ１１０６で音声再生するための形式に変換される。
（９）ステップＳ５００９Ａでは、ブラウザＰＣ１００６において、上記変換された音声信号によりスピーカ１１０６から音声が再生される。
【００４３】
図１５は、携帯型監視カメラ１０１３で収録された音声の音声データを、携帯端末１０１１に配信する方法の説明図である。なお、Ｓ５００１−Ｓ５００５については、上記と同様であるため、その次のステップであるＳ５００６Ｂから説明をする。
（６）ステップＳ５００６Ｂでは、上記音声信号を受信したハブ１００４が、映像閲覧用データ変換装置１００７に上記受信された音声信号を送信する。
（７）ステップＳ５００７Ｂでは、映像閲覧用データ変換装置１００７が、ネットワークインターフェース１１０３を介して上記音声信号を受信する。  （８）ステップＳ５００８Ｂでは、上記受信された音声信号の形式が、映像閲覧用データ変換装置１００７において、携帯端末１０１１で受信できる形式に変換され、その変換された音声信号が携帯端末１０１１に送信される。
（９）ステップＳ５００９Ｂでは、携帯端末１０１１がネットワークインターフェース１１０３を介して上記音声信号を受信する。
（１０）ステップＳ５０１０Ｂでは、携帯端末１０１１において、上記受信された音声信号の形式がサウンドインターフェース１１０５により、スピーカ１１０６で音声再生するための形式に変換される。
（１１）ステップＳ５０１１Ｂでは、携帯端末１０１１において、上記変換された音声信号によりスピーカ１１０６から音声が再生される。
【００４４】
図１６は、携帯型監視カメラ１０１３で収録された音声の音声データを、撮像機能付き携帯端末１０１に配信する方法の説明図である。なお、Ｓ５００１−Ｓ５００５については、上記と同様であるため、その次のステップであるＳ５００６Ｃから説明する。
（６）ステップＳ５００６Ｃでは、映像蓄積用データ変換装置１０１２に上記受信された音声信号を送信する。
（７）ステップＳ５００７Ｃでは、映像蓄積用データ変換装置１０１２がネットワークインターフェース１１０３を介して上記音声信号を受信する。
（８）ステップＳ５００８Ｃでは、映像蓄積用データ変換装置１０１２において、上記受信された音声信号の形式が、撮像機能付き携帯端末１０１で受信できる形式に変換される。その変換された音声信号が撮像機能付き携帯端末１０１に送信される。
（９）ステップＳ５００９Ｃでは、撮像機能付き携帯端末１０１がネットワークインターフェースを介して上記音声信号を受信する。  （１０）ステップＳ５０１０Ｃでは、撮像機能付き携帯端末１０１において上記受信された音声信号の形式が、サウンドインターフェース１１０５、スピーカ１１０６で音声再生するための形式に変換される。
（１１）ステップＳ５０１１Ｃでは、撮像機能付き携帯端末１０１において、上記変換された音声信号によりスピーカ１１０６から音声が再生される。
以上、説明した方法により、携帯型監視カメラ１０１３に入力された音声をブラウザＰＣ１００６、携帯端末１０１１及び撮像機能付き携帯端末１０１に配信することが可能となる。
【００４５】
図１７は、ブラウザＰＣ１００６で収録された音声を、携帯型監視カメラ１０１３で再生する方法の説明図である。
（１）ステップＳ１４０１Ａでは、ブラウザＰＣ１００６が有するマイク１１０７で音声を収録し、その収録により得られた音声信号がマイク１１０７から出力される。
（２）ステップＳ１４０２Ａでは、ブラウザＰＣ１００６において、上記出力された音声信号を、サウンドインターフェース１１０５で入力し、そこでその音声信号をデジタル音声信号に変換する。
（３）ステップＳ１４０３Ａでは、ブラウザＰＣ１００６が、上記変換されたデジタル音声信号の形式を、ネットワーク型監視システムが取り扱う音声信号の形式に変換し、その変換された音声信号がハブ１００４に送信される。
（４）ステップＳ１４０５では、ハブ１００４が、ブラウザＰＣ１００６、携帯端末１０１１及び撮像機能付き携帯端末１０１の少なくともいずれかから送信された上述の音声信号を受信し、上記受信された音声信号が無線ハブ１０３に送信される。
（５）ステップＳ１４０６では、上記音声信号を受信した無線ハブ１００４が、上記受信された音声信号を携帯型監視カメラ１０１３に送信する。
（６）ステップＳ１４０７では、携帯型監視カメラ１０１３において、無線部２０９を介して上記送信された音声信号を受信し、その受信された音声信号が無線部２から音声用デコーダ部３００８に出力される。
（７）ステップＳ１４０８では、上記音声信号を入力した音声用デコーダ部３００８が、上記入力された音声信号の形式を、Ｄ／Ａ変換部３００７で処理できる形式に変換して、その変換された音声信号がＤ／Ａ変換部３００７に出力される。
（８）ステップＳ１４０９では、上記音声信号を入力したＤ／Ａ変換部３００７が、上記入力された音声信号をアナログ音声信号に変換し、その変換されたアナログ音声信号がスピーカ３００６に送信される。
（９）ステップＳ１４１０では、上記アナログ音声信号を入力したスピーカ３００６が、上記入力したアナログ音声信号により音声を再生する。
上記方法により、ブラウザＰＣ１００６から入力された音声を、監視カメラ１０１３において再生することが可能となる。
【００４６】
図１８は、携帯端末１０１１で収録された音声を、携帯型監視カメラ１０１３で再生する方法の説明図である。
（１）ステップＳ１４０１Ｂでは、携帯端末１０１１が有するマイク１１０７で音声を収録し、その収録により得られた音声信号がマイク１１０７から出力される。
（２）ステップＳ１４０２Ｂでは、携帯端末１０１１において、上記出力された音声信号を、サウンドインターフェース１１０５で入力し、そこでその音声信号をデジタル音声信号に変換する。
（３）ステップＳ１４０３Ｂでは、上記携帯端末１０１１が、上記変換されたデジタル音声信号の形式を、携帯端末１０１１が取り扱う音声信号の形式に変換し、その変換された音声信号が映像閲覧用データ変換装置１００７に送信される。
（４）ステップＳ１４０４Ｂでは、上記音声信号を受信した映像閲覧用データ変換装置１００７が、上記受信された音声信号の形式を、携帯型監視カメラで受信できる形式（ネットワーク型監視システムが取り扱う形式）に変換し、その変換された音声信号がハブ１００４に送信される。
以下は、上記同様に、ステップＳ１４０５−Ｓ１４１０が実行される。
上記方法により、携帯端末１０１１から入力された音声を、監視カメラ１０１３において再生することが可能となる。
【００４７】
図１９は、撮像機能付き携帯端末１０１で収録された音声を、携帯型監視カメラ１０１３で再生する方法の説明図である。
（１）ステップＳ１４０１Ｃでは、撮像機能付き携帯端末１０１が有するマイク１１０７で音声を収録し、その収録により得られた音声信号がマイク１１０７から出力される。
（２）ステップＳ１４０２Ｃでは、撮像機能付き携帯端末１０１において、上記出力された音声信号を、サウンドインターフェース１１０５で入力し、そこでその音声信号をデジタル音声信号に変換する。
（３）ステップＳ１４０３Ｃでは、撮像機能付き携帯端末１０１が上記変換されたデジタル音声信号を、映像蓄積用データ変換装置１０１２に送信する。
（４）ステップＳ１４０４Ｃでは、上記音声信号を受信した映像蓄積用データ変換装置１０１２が、上記受信された音声信号の形式を、携帯型監視カメラ１０１３で受信できる形式（ネットワーク型監視システムが取り扱う形式）に変換し、その変換された音声信号がハブ１００４に送信される。
以下は、上記の場合と同様に、ステップＳ１４０５−Ｓ１４１０が実行される。
上記方法により、撮像機能付き携帯端末１０１から入力された音声を、監視カメラ１０１３において再生することが可能となる。
【００４８】
図２０及び図２１は、携帯型監視カメラ１０１３を用いたネットワーク型監視システムの構成例の説明図である。
図２０は、消防署における上記システムの適用例を示す図である。なお、この図に示されるシステムと対比することが容易であって、本発明に関わる他のシステムとしては、上述の図１０に示される救急システムがある。図２０において、６０１は通報者、６０２は消防署、６０３は病院、６０４は救急車である。通報者６０１は、撮像機能付き携帯端末１０１を所持している。消防署６０２には、ネットワーク型監視システムを有し、無線ハブ１０３、映像閲覧用データ変換装置１００７、映像蓄積用データ変換装置１０１２、映像蓄積配信装置１００５、ブラウザＰＣ１００６、認証サーバ１０２０を設置してある。病院６０３には、ブラウザＰＣ１００６を有している。病院６０３内のブラウザＰＣ１００６は、ＬＡＮや公衆回線によって、消防署６０２のネットワーク型監視システムと接続されている。救急車６０４には、携帯端末１０１１、携帯型監視カメラ１０１３を有している。救急車６０４の携帯端末１０１１や携帯型監視カメラ１０１３は、ＬＡＮや公衆回線、無線により、消防署６０２のネットワーク型監視システムに接続されている。
【００４９】
かかるシステム構成において、通報者６０１の下で救急患者が発生した場合、通報者６０１は、撮像機能付き携帯端末１０１を用いて消防署６０２に救急車の出動を要請するとともに、上記救急患者の様子を撮像し、それにより得られた映像信号が消防署６０２内のネットワーク型監視システムに送信される。そうすることによりこの映像信号に基づく映像が、消防署６０２や病院６０３のブラウザＰＣ１００６、救急車６０４の携帯端末１０１１で表示され閲覧可能となる。また、上記映像信号は、映像蓄積配信装置１００５に蓄積される。病院６０３では、ブラウザＰＣ１００６を用いて、上記表示された映像に基づき、医師が救急措置を決定することができる。この時、通報者６０１に対し、その医師から音声で、応急措置方法や、撮像機能付き携帯端末１０１の角度調節などの指示を与えることができる。これにより、適切な応急措置が行えたり、医師の所望の映像を得ることができる。また、救急車６０４の携帯端末１０１１でも上記映像を閲覧可能となるので、救急隊員も措置を素早く決定することができる。
【００５０】
救急車６０４が通報者６０１のところに到着して、患者を乗せ、病院６０３に搬送する途中、救急車６０４では、携帯型監視カメラ１０１３を用いて、患者の様子を撮像し、それにより得られた映像信号を病院６０３に送信することができる。この映像信号による映像は、撮像機能付き携帯端末１０１で得られた映像信号による映像よりも高画質であり、医師はさらに上記より高画質な映像に基づいてより的確な措置を決定することができる。このとき、携帯型監視カメラ１０１３を使用する救急隊員に対して医師が音声によって指示を与えることも可能である。医師は、上記救急患者の措置において、映像蓄積配信装置１００５に蓄積された映像を再生することにより、容体の変化を知ることもでき、そのことによって措置をより的確に行うこともできる。
上記によれば、音声データに加え、映像データが付加されるため、情報量がより増大し、これによって、従来よりも的確な処置を迅速に行うことが可能となる。
【００５１】
図２１は、警察署に上記システムを適用した場合の説明図である。図２１において、７０１と７０２とはパトカー、７０３は警察署である。パトカー７０１は携帯型監視カメラ１０１３を有し、パトカー７０２は携帯端末１０１１を有し、警察署７０３はネットワーク型監視システムを有している。いま、パトカー７０１が、走行中の車両を追跡しているものとする。パトカー７０１の携帯型監視カメラ１０１３を用いて、上記車両の映像が撮像される。該撮像された映像を表す映像信号は、警察署７０３のネットワーク型監視システムに送信され、警察署７０３は、ブラウザＰＣ１００６を用いて該送信された映像信号による映像を閲覧することが可能である。
【００５２】
このとき、上記映像に車種やナンバーなどの情報が含まれることにより、その情報を基に該車両の所有者等の特定を迅速に行うことができる。また、パトカー７０１が、パトカー７０２に対して応援要請をした場合、パトカー７０１側からパトカー７０２側へ、携帯型監視カメラ１０１３と携帯端末１０１１とを介して、現在位置などを伝えるための音声による指示を与えることができる。さらに、上記映像信号が警察署７０３のネットワーク型監視システムからパトカー７０２の携帯端末１０１１に送信されることで、その送信された映像信号の映像をパトカー７０２側で閲覧することができるため、現場付近にパトカー７０２が到着したときに、そのパトカー７０２乗務する警官によって上記車両を容易に発見することもできる。また、上記映像データは、警察署７０３の映像蓄積配信装置１００５に蓄積されるため、違反の決定的な証拠として記録保持しておくことも可能となる。
【００５３】
上記によれば、警察署７０３において、迅速かつ的確な追跡等が可能になる。さらに、映像蓄積配信装置１００５に事件発生時の映像を残しておくことができるため、後で証拠として用いることもできる。
【００５４】
なお、上記例は、消防署と警察署に適用する場合について述べたが、その他、例えば地方自治体や、マスコミ機関などにおいても同様なシステムを適用可能である。また、携帯型監視カメラ１０１３から入力した音声データは、ブラウザＰＣ１００６、携帯端末１０１１、撮像機能付き携帯端末１０１に配信されるため、携帯型監視カメラ１０１３で撮像された映像に基づき、テレビ会議システムなどの実現も可能である。
【００５５】
上記第２の実施例によっても、監視カメラでは死角になる場所や監視カメラがない場所などの映像をも容易に撮像でき、その撮像による映像データを音声データとともに蓄積かつ配信することが可能となる。この結果、広範囲の情報の的確かつ迅速な利用が可能となる。
【図面の簡単な説明】
【００５６】
【図１】本発明の第１の実施例としてのネットワーク構成例を示す図である。
【図２】撮像機能付き携帯端末で撮像して得た映像データを映像蓄積配信装置に蓄積する方法の説明図である。
【図３】撮像機能付き携帯端末で撮像して得た映像データを映像蓄積配信装置に蓄積する方法の説明図である
【図４】携帯端末と映像蓄積配信装置との接続を確立する手順例を示す図である。
【図５】携帯端末で生成した映像データを映像蓄積配信装置に送信し蓄積する説明図である。
【図６】携帯端末と映像蓄積配信装置との接続を切断する処理の手順例を示す図である。
【図７】音声データの送受信が可能なネットワーク構成とデータ流れを示す図である。
【図８】ブラウザＰＣから音声データを撮像機能付き携帯端末に送信する場合の説明図である。
【図９】撮像機能付き携帯端末から音声データをブラウザＰＣに送信する場合の説明図である。
【図１０】映像蓄積技術と音声送受信技術とを用いた救急システムの構成例図である。
【図１１】映像蓄積技術と音声送受信技術とを用いた救急システムの構成例図である。
【図１２】携帯型監視カメラのハードウェア構成例を示す図である。
【図１３】映像データを蓄積配信装置に蓄積する説明図である。
【図１４】音声データをブラウザＰＣなどに配信する説明図である。
【図１５】音声データをブラウザＰＣなどに配信する説明図である。
【図１６】音声データをブラウザＰＣなどに配信する説明図である。
【図１７】音声データを携帯型監視カメラで再生する説明図である。
【図１８】音声データを携帯型監視カメラで再生する説明図である。
【図１９】音声データを携帯型監視カメラで再生する説明図である。
【図２０】ネットワーク型監視システムの、消防署への適用例を示す図である。
【図２１】ネットワーク型監視システムの、警察署への適用例を示す図である。
【図２２】ネットワーク監視システムの構成例を示す図である。
【図２３】図２２における映像蓄積配信装置等のハードウェア構成例を示す図である。
【図２４】映像データを映像蓄積配信装置に蓄積する手順の説明図である。
【図２５】映像データを映像蓄積配信装置に蓄積する手順の説明図である。
【図２６】映像蓄積配信装置に蓄積された映像データを閲覧する手順の説明図である。
【図２７】認証サーバで用いるユーザ認証用サーバ名／パスワードテーブルの一例を示す図である。
【符号の説明】
【００５７】
１０１…撮像機能付き携帯端末、
１０２…映像蓄積用データ変換装置、
３０５…ユーザ情報ファイル、
９０１…通報者、
９０２…消防署、
９０３…病院、
９０４…救急車、
１００１…監視カメラ、
１００２…ＬＡＮの伝送路、
１００３…Ｗｅｂエンコーダ、
１００４…ハブ、
１００５…映像蓄積配信装置、
１００６…ブラウザＰＣ、
１００７…映像閲覧用データ変換装置、
１００８…公衆回線による伝送路、
１００９…ＷＡＮ、
１０１０…無線による伝送路、
１０１１…携帯端末、
１１０１…ＣＰＵ、
１１０２…メモリ、
１１０３…ネットワークインターフェース、
１１０４…記憶装置、
１１０５…サウンドインターフェース、
１１０６…スピーカ、
１１０７…マイク、
１１０８…ビデオインターフェース、
１１０９…モニタ、
１１１０…入力インターフェース、
１１１１…入力機器、
１１１２…ポインティングデバイス。
【図１】
2004282730.tif 000003
【図２】
2004282730.tif 000004
【図３】
2004282730.tif 000005
【図４】
2004282730.tif 000006
【図５】
2004282730.tif 000007
【図６】
2004282730.tif 000008
【図７】
2004282730.tif 000009
【図８】
2004282730.tif 000010
【図９】
2004282730.tif 000011
【図１０】
2004282730.tif 000012
【図１１】
2004282730.tif 000013
【図１２】
2004282730.tif 000014
【図１３】
2004282730.tif 000015
【図１４】
2004282730.tif 000016
【図１５】
2004282730.tif 000017
【図１６】
2004282730.tif 000018
【図１７】
2004282730.tif 000019
【図１８】
2004282730.tif 000020
【図１９】
2004282730.tif 000021
【図２０】
2004282730.tif 000022
【図２１】
2004282730.tif 000023
【図２２】
2004282730.tif 000024
【図２３】
2004282730.tif 000025
【図２４】
2004282730.tif 000026
【図２５】
2004282730.tif 000027
【図２６】
2004282730.tif 000028
【図２７】
2004282730.tif 000029